(57)【要約】  【課題】  演出用の構造物と映像により演出効果を高めることのできる自動演奏装置を提供する。  【解決手段】  自動演奏装置１に、選択された楽曲を示す情報を入力する操作部６８と、操作部６８で入力された楽曲を示す情報に対応する楽曲を再生するＤＶＤ装置と、ＤＶＤ装置で再生された楽曲の音響を出力するＡＶアンプおよびスピーカと、操作部６８で入力された楽曲を示す情報に対応する演出用の映像を液晶画面６６ａに表示する液晶表示装置６６と、演出用の人形などと、を備え、液晶表示装置６６が正面パネル６に形成され、演出用の人形などが液晶表示装置６６を通して目視されるように構成する。【選択図】  図１
2005158136.tif 000002
【特許請求の範囲】
【請求項１】
選択された楽曲を演奏する自動演奏装置であって、選択された楽曲を示す情報を入力する選択入力手段と、選択入力手段で入力された楽曲を示す情報に対応する楽曲を再生する楽曲再生手段と、楽曲再生手段で再生された楽曲の音響を出力する音響出力手段と、選択入力手段で入力された楽曲を示す情報に対応する演出用の映像を演出画面に表示する演出表示手段と、演出用の構造物と、を備え、
演出表示手段が装置筐体の正面パネルの一部に形成され、上記構造物が演出表示手段を通して目視されるようにしたことを特徴とする自動演奏装置。
【請求項２】
前記構造物を照らす照明手段を備えたことを特徴とする請求項１記載の自動演奏装置。
【発明の詳細な説明】
【技術分野】
【０００１】
本発明は、液晶表示装置などの演出表示手段を設けた自動演奏装置に関するものである。
【背景技術】
【０００２】
従来の自動演奏装置は、（例えばジュークボックス、カラオケ）は、映像を表示するディスプレイを備え、楽曲の演奏と共に演出用の映像（背景映像）をディスプレイに表示している（例えば、特許文献１参照）。
【特許文献１】特開２００３−１７３１９２号公報（第５頁右下段の段落００４０、第２図）
【発明の開示】
【発明が解決しようとする課題】
【０００３】
しかしながら、従来の自動演奏装置においては、例えば演出用の構造物と映像を用いて演出効果を高める点については配慮がなされておらず、さらに改善の余地がある。
【０００４】
本発明は、従来の問題を解決するためになされたもので、演出用の構造物と映像により演出効果を高めることのできる自動演奏装置を提供することを目的とする。
【課題を解決するための手段】
【０００５】
上記課題を解決するために、本発明の自動演奏装置は、選択された楽曲を演奏する自動演奏装置であって、選択された楽曲を示す情報を入力する選択入力手段（例えば操作部６８）と、選択入力手段で入力された楽曲を示す情報に対応する楽曲を再生する楽曲再生手段（例えばＤＶＤ装置３）と、楽曲再生手段で再生された楽曲の音響を出力する音響出力手段（例えばＡＶアンプ４、スピーカ５）と、選択入力手段で入力された楽曲を示す情報に対応する演出用の映像を演出画面に表示する演出表示手段（例えば液晶表示装置６６）と、演出用の構造物（例えば人形２１）と、を備え、演出表示手段が装置筐体の正面パネル（例えば正面パネル６）の一部に形成され、上記構造物が演出表示手段を通して目視されるようにした構成を有している。
【０００６】
また、本発明の自動演奏装置は、前記構造物を照らす照明手段（例えば演出ランプ２４）を備えた構成を有している。
【発明の効果】
【０００７】
本発明は、楽曲に対応する演出用の映像を液晶画面に表示する液晶表示手段と、演出用の構造物と、を設けることにより、演出用の構造物と映像により演出効果を高めるという効果を有する自動演奏装置を提供することができる。
【発明を実施するための最良の形態】
【０００８】
以下、本発明の実施形態に係る自動演奏装置について、図面を用いて説明する。まず、構造を説明する。本発明の実施の一形態に係る自動演奏装置を図１に示す。また、図１の背面を図２に示し、側断面を図３に示す。
【０００９】
図１〜図３において、自動演奏装置１は、演出用の人形２１（後述の「構造物」に相当する）と、ＤＶＤ（Digital Versatile Disk）装置３、ＡＶアンプ４、スピーカ５ａ、５ｂなどのＡＶ機器と、が収容された筐体を有し、この筐体の正面に、正面パネル６が取付けられている。正面パネル６には、矩形透明の液晶画面６６ａを有する液晶表示装置６６と、ＤＶＤ‐ＲＯＭ入れ替え用の開閉部６７と、操作部（例えばリモコン）６８と、ＡＶアンプ４の液晶表示部４１ａ、４１ｂと、略Ｕ字形状の電飾ランプ６４ａ、６４ｂと、この電飾ランプ６４ａ、６４ｂを点灯、消灯するための照明ボタン６２と、自動演奏装置１の主電源をオン、オフするための主電源ボタン６３と、が形成されている。
【００１０】
開閉部６７は、蝶番などにより開閉可能に構成された扉であって、液晶画面６６ａの下方に設けられている。この開閉部６７は、利用者などがＤＶＤ装置３のＤＶＤ‐ＲＯＭを入れ替えるとき、手動で手前側に開いて用いるようにしている。
【００１１】
操作部６８は、詳細に図示していないが、信号を送信する送信回路（ここでは、所定の赤外線を放射する発光部に相当する）と、ＤＶＤ装置３のＤＶＤ‐ＲＯＭに楽曲を示す情報（例えば「曲名」、「曲名に付与された番号」）ごとに記憶された複数の楽曲を選択するための選択ボタンと、利用者の選択ボタン操作で選択された楽曲を示す情報を上記送信回路から送信させる制御回路と、を有し、この制御回路は、マイクロコンピュータを主たる構成要素としている。特に本実施形態では、操作部６８が自動演奏装置１の筐体に固定されているために、操作部６８を紛失するおそれがなくなる。さらに、利用者のニーズによって同一の入力方式の別操作部をＤＶＤ装置３又はＡＶアンプ４の操作用に具備する場合には、操作部６８と同一の基板を用い、赤外線による同一の入力方式を採用するので、自動演奏装置１の製造コストの低減が期待される。なお、選択された楽曲を示す情報は、制御回路１２（図４に示す）に送られる。
【００１２】
液晶表示部４１ａ、４１ｂは、ＡＶアンプ４に設けられ、操作部６８の下方に形成されて、自動演奏装置１で再生された楽曲の音量、音質などを液晶画面に表示するようにしている。この液晶表示部４１ａ、４１ｂの左右両側には、上述した照明ボタン６２、主電源ボタン６３がそれぞれ設けられている。
【００１３】
図２、図３の人形２１は、演出用の構造物であって、筐体内に設けられた棚板２２ａ上に載置されている。ここで、人形２１などは、上述したように液晶表示装置６６を通して目視できるようにしている。また、演出用の構造物は、その前方に設けられた演出ランプ２４により照明されるようにしている。この演出ランプ２４は、例えば蛍光管又は複数のＬＥＤで構成されている。この構成により、例えば液晶表示装置６６の表示中に演出ランプ２４を点灯して上記構造物をライトアップし、上記構造物と液晶画面６６ａの映像とを組み合わせて演出することが可能となる。なお、図１は人形２１が載置されていない場合を示す。
【００１４】
ＤＶＤ装置３は、筐体内に設けられた棚板２２ｂ上に載置されている。ここでは、複数の楽曲の楽曲情報（「音楽データ」、「液晶表示装置６６で表示するための映像データ」を含む）を楽曲を示す情報ごとに記憶した再生専用のＤＶＤ‐ＲＯＭを装着し、操作部６８から入力された楽曲に対応する楽曲、映像を再生するようにしている。また、ＤＶＤ装置３の制御回路（不図示）は、ＤＶＤ‐ＲＯＭから音楽データ、映像データを読み出す機能、ＡＶアンプ４に入力する信号の大きさを多段階（複数）に調整する音量調整（ボリウムコントロール）機能、高音域（例えば、周波数１ｋＨｚ以上）、低音域（例えば、周波数１００Ｈｚ以下）を増減して楽曲のトーンを多段階（複数）に調整する音質調整（トーンコントロール）機能などを有する。
【００１５】
なお、ＤＶＤ装置３に替えて、ＨＤ装置を設け、液晶表示装置６６で表示するための映像データを楽曲を示す情報ごとに記憶したハードディスク（ＨＤ）を装着し、制御回路１２（図５に示す）から入力されたコマンドにより、再生楽曲に対応する映像データを、ＨＤから読み出して液晶表示装置６６に送信して液晶表示するようにしてもよい。
【００１６】
ＡＶアンプ４は、ＤＶＤ装置３で再生された楽曲の音楽データ、映像データに相当する信号を増幅する増幅器であって、筐体内に設けられた棚板２２ｃ上に載置されている。また、ＡＶアンプ４においては、所謂、コントロールアンプ、グラフィックイコライザ、デバイディングアンプ、パワーアンプなどが順に配設され、ここではスピーカ５ａ、５ｂがマルチウェイシステム（例えば「ツィータ」、「ウーハ」の２ウェイシステム）を構成するために、パワーアンプの前段でパワーアンプに入力する信号を周波数によって各種スピーカに分割するようにしている。この場合、パワーアンプは、スピーカの種類により複数設けるようにする。なお、上述したようにＡＶアンプ４には、液晶表示部４１ａ、４１ｂを有し、液晶画面に再生楽曲の音量、音質などを表示するようにしている。
【００１７】
スピーカ５ａ、５ｂは、周知のようにＡＶアンプ４で増幅された信号により、磁界中のボイスコイルに通電し、このときのボイスコイルの動きを振動板に伝播して振動させることにより、音波を発生させるようにしている。ここでは、音域ごとに専用のスピーカユニットを設け、例えば「ツィータ」、「ウーハ」のユニットを組み合わせて１台のスピーカシステムとしてる。また、スピーカ５ａ、５ｂは、筐体内に設けられた載置台２３ａ、２３ｂ上にそれぞれ載置されている。
【００１８】
なお、操作部６８の上記発光部と、ＡＶアンプ４（又はＤＶＤ装置３）における受光部（受信回路に相当する）とは、略対向して配置されており、上記発光部からの赤外線を上記受光部が確実に受光するようにしている。さらに確実に受光するために、上述した棚板２２ａ〜２２ｃを、例えば金属材料、合成樹脂材料を含む可塑性材料で形成し、複数のメッシュ状孔部が棚板２２ａ〜２２ｃに貫通開口するようにしてもよい。
【００１９】
液晶表示装置６６は、図４に示す構成を有してる。図４において、液晶表示装置６６の前面には透明なアクリル板５０１が設けられ、液晶画面６６ａを形成している。次いで、ガラスベース５０２、ベゼル金属枠５０３、液晶パネル５０４、液晶パネルホルダ５０５、拡散シート５０６、導光板５０７、リアホルダ５０８、帯電防止シート５０９が順に重ねて取り付けられている。ここで、導光板５０７は、アクリル板などの裏面に、光を均一反射するための特殊な加工（レーザ加工を含む）が施された板材であり、光源としての冷陰極管５１１ａ、５１１ｂの光を端面から入光し、その板材の裏面で反射して均一に面発光させるものである。また、導光板５０７およびリアホルダ５０８には、縦長矩形の表示窓が設けられている。この表示窓は、液晶表示装置６６を透して筐体内部に配置されている構造物などが目視可能なように形成されているので、液晶画面６６ａに表示されている演出用の映像と構造物とを関連させることができる。表示ドライバ５１２は、液晶表示装置６６の上部に配設され、液晶パネル５０４を表示させるものである。帯電防止シート５０９は、表示窓に、塵、埃などが付着するのを防止するためのものである。蛍光管６６ｂ、６６ｃは、表示窓用のバックライトとして用いられる。上記表示窓は、蛍光管６６ｂ、６６ｃからの光、この光が筐体の内面に反射した反射光、および演出ランプ２４の光を受けることとなる。これらの光により、演出用の映像を表示する液晶画面６６ａが認識可能となる。
【００２０】
本発明の実施の一形態に係る自動演奏装置１の制御系を図５に示す。
【００２１】
図５において、自動演奏装置１は、ＤＶＤ装置３と、ＡＶアンプ４と、スピーカ５（図２の５ａ、５ｂに相当する）と、制御回路１２と、操作部６８と、液晶表示装置６６と、電飾ランプ６４（図１の６４ａ、６４ｂに相当する）と、演出ランプ２４と、照明ボタン６２と、主電源ボタン６３と、で構成されている。ここで、操作部６８は、選択された楽曲を示す情報をＤＶＤ装置３又はＡＶアンプ４に送信し、ＡＶアンプ４は、この楽曲を示す情報に応じてＤＶＤ‐ＲＯＭに記憶されている映像データおよび音声データを取出す。また、ＡＶアンプ４は、映像出力端子から映像データ、音声出力端子から音声データを出力し、これらのデータは、制御回路１２、スピーカ５および液晶表示装置６６に入力される。制御回路１２は、これらの入力されたデータにより、演出ランプ２４等を制御している。ここで、制御回路１２は、これらの入力されたデータにより、演出ランプ２４の点灯の要否を判断し、演出ランプ２４を点灯、消灯を制御している。なお、制御回路１２は、１つの楽曲の演奏が終了する度に演出ランプ２４を消灯させるように制御してもよい。
【００２２】
このような本発明の実施の一形態に係る自動演奏装置１によれば、遠隔操作で選択された楽曲を示す情報を入力する操作部６８と、操作部６８で入力された楽曲を示す情報に対応する楽曲を再生するＤＶＤ装置３と、ＤＶＤ装置３で再生された楽曲の音響を出力するＡＶアンプ４およびスピーカ５と、操作部６８で入力された楽曲を示す情報に対応する演出用の映像を液晶画面６６ａに表示する液晶表示装置６６と、演出用の人形２１などと、を備え、液晶表示装置６６が正面パネル６に形成され、演出用の人形２１などが液晶表示装置６６を通して目視されるようにしたので、利用者が選択した楽曲に応じて液晶画面６６ａに表示された映像と、液晶表示装置６６を通して目視可能な演出用の人形２１などとの組合せにより、背景映像のみの場合に比べて演出効果が高まることが期待される。
【００２３】
また、本実施形態によれば、演出用の人形２１などを照らす演出ランプ２４を設けることにより、映像表示中に液晶表示装置６６の背面側にある人形２１などをライトアップして、利用者に明示することが期待される。
【００２４】
なお、上述した実施形態では操作部６８の操作で所望の楽曲を示す情報を選択させて入力するようにした場合について説明したが、本発明はこのほかに、ＤＶＤ装置３で再生された楽曲の音響を出力するときの音量、音質（「音響情報」に相当する）を指示入力させるようにしても同様の効果が期待される。
【００２５】
また、上述した実施形態では制御回路１２がＤＶＤ装置３、ＡＶアンプ４を駆動制御するようにした場合について説明したが、本発明はこのほかに、ＡＶアンプ４、ＤＶＤ装置３のいずれか又は全てを遠隔操作するための別リモコンを設け、操作部６８を選曲操作専用とし、楽曲の再生、音響出力および映像表示については別リモコンで遠隔操作するようにしてもよい。あるいは、操作部６８が上述した制御回路１２の機能を有し、自動演奏装置１本体の制御系によらずに楽曲の再生、音響出力および映像表示を制御するようにしても同様の効果が期待される。
【００２６】
また、上述した実施形態では、棚板２２ａ〜２２ｃに複数のメッシュ状孔部を形成した場合について説明したが、本発明はこのほかに、棚板２２ａ〜２２ｃを透明部材で形成しても同様の効果が期待される。あるいは、白色板やミラーを含む反射部材により、操作部６８からの赤外線による光路を形成するようにしても同様の効果が期待される。さらに、それぞれの装置や部品を筐体内に配置するときの自由度が増すという効果も期待される。
【００２７】
また、上述した実施形態では上記楽曲を示す情報により、楽曲によって演出ランプ２４を点灯制御するようにした場合について説明したが、本発明はこのほかに、演出ランプ２４のオン、オフを切り替えるための切替ボタンを設け、利用者が任意に演出ランプ２４を点灯制御するようにしても同様の効果が期待される。
【００２８】
また、上述した実施形態では演出用の構造物として人形２１を用いた場合について説明したが、本発明はこのほかに、縦置きされたＣＤ、レコードなどを構造物として用いても同様の効果が期待される。さらに、筐体内面に形成された任意の形状や、任意の画像が記された筐体内面自体を構造物として用いても同様の効果が期待される。
【００２９】
また、上述した実施形態ではＤＶＤ装置３、ＡＶアンプ４などのＡＶ機器を具備した自動演奏装置１について説明したが、本発明はこのほかに、マイクを追加し、さらに通信インタフェースを備えた構成としても同様の効果が期待される。この場合、マイクにより所謂カラオケ機能を実現し、通信インタフェースを介して楽曲の音楽データを取得するようにしてもよい。
【図面の簡単な説明】
【００３０】
【図１】本発明の実施の一形態に係る自動演奏装置の外観（正面）を示す斜視図である。
【図２】本発明の実施の一形態に係る自動演奏装置の外観（背面）を示す斜視図である。
【図３】本発明の実施の一形態に係る自動演奏装置の要部側断面図である。
【図４】本発明の実施の一形態に係る液晶表示装置の要部側断面図である。
【図５】本発明の実施の一形態に係る自動演奏装置の制御系を示すブロック図である。
【符号の説明】
【００３１】
１  自動演奏装置
２  キャビネット
３  ＤＶＤ装置
４  ＡＶアンプ
５ａ、５ｂ  スピーカ
６  正面パネル
２１  人形
２２ａ、２２ｂ、２２ｃ  棚板
２３ａ、２３ｂ  載置台
４１ａ、４１ｂ  液晶表示部
６２  照明ボタン
６３  主電源ボタン
６４ａ、６４ｂ  電飾ランプ
６６  液晶表示装置
６７  開閉部
６８  操作部
【図１】
2005158136.tif 000003
【図２】
2005158136.tif 000004
【図３】
2005158136.tif 000005
【図４】
2005158136.tif 000006
【図５】
2005158136.tif 000007